(57)【要約】【課題】通常の長さの測定や墨出しのみならず、角度の測定、角度の作図、特定斜面の狭角度の読み取り、壁厚墨出し及びコンパス機能までも持たせた非常に便利で、多目的かつ画期的な曲尺を提供する。【解決手段】長手１ａ又は妻手１ｂの各部に広角度が測定できたり広角度の作図ができたりする目盛線１ｉ、長手１ａにおける特定点Ｐ１，Ｐ２を利用して妻手１ｂも併用して特定斜面１６ｂ，１８ｂ，２０ｂの狭角度θを測定できる角度目盛１ｌ、角度目盛線１ｏ、建築現場における壁用ボード８の厚さと軽量鉄骨９の太さを建築現場と同様の寸法間隔で刻んだ壁厚墨出し目盛１ｐ及びコンパスのように円２２が描けるようにした中心点穴１０と筆記用具穴１１が各種の半径用に刻まれた構成を特徴とする。【選択図】図１
2007232701.tif 000002
【特許請求の範囲】
【請求項１】
金属製の平板材からなる妻手と長手とを直角に折り曲げてなり、角側又は隅側の表裏目の少なくともいずれか一面に各種の測定用目盛が刻まれた曲尺において、前記妻手の隅側の開放端部から前記長手の隅側に引いた線が前記妻手に対してなす角度の傾斜した目盛線が前記長手に刻まれたことを特徴とする曲尺。
【請求項２】
金属製の平板材からなる妻手と長手とを直角に折り曲げてなり、角側又は隅側の表裏目の少なくともいずれか一面に各種の測定用目盛が刻まれた曲尺において、前記長手と妻手が交わる隅から引いた斜線の任意点から立てた垂線が交わる前記長手の隅側の長さ方向の略中間の第１の特定点を定め、各種角度の異なる前記斜線における前記垂線の長さ（前記斜線から前記第１の特定点までの垂線上の距離）を、前記隅から前記第１の特定点までの距離と前記各種角度の正弦値の積として求め、前記垂線の長さを、前記第１の特定点と同一面において角側の前記妻手に角度目盛として刻み、該角度目盛りに前記斜線と前記長手とのなす角度の表示をしてなることを特徴とする曲尺。
【請求項３】
金属製の平板材からなる妻手と長手とを直角に折り曲げてなり、角側又は隅側の表裏目の少なくともいずれか一面に各種の測定用目盛が刻まれた曲尺において、前記長手の角側の略中間の第２の特定点を定め、該第２の特定点から前記妻手に対して各種角度の斜線を引いて該斜線と前記妻手の角側との交点に該斜線と同一傾斜の角度目盛り線を刻み、前記角から該交点までの垂線の長さを、前記角から前記第２の特定点までの距離と前記各種角度の正接との積として求め、前記垂線の長さを、前記第２の特定点と同一面において角側の前記妻手に角度目盛りとして定め、該角度目盛りに前記斜線と前記長さとのなす角度の表示をしてなることを特徴とする曲尺。
【請求項４】
金属製の平板材からなる妻手と長手とを直角に折り曲げてなり、角側又は隅側の表裏目の少なくともいずれか一面に各種の測定用目盛が刻まれた曲尺において、建築現場における壁用ボードの厚さと軽量鉄骨の太さの寸法を該建築現場におけると同様の間隔をおいた壁厚墨出し目盛が前記妻手の隅側に刻まれたことを特徴とする曲尺。
【請求項５】
金属製の平板材からなる妻手と長手とを直角に折り曲げてなり、角側又は隅側の表裏目の少なくともいずれか一面に各種の測定用目盛が刻まれた曲尺において、前記長手と妻手との交点をコンパスの中心点として、前記隅と角との略中間点に中心点穴を設け、該中心点穴から描こうとする円の半径と同一寸法の前記長手上の各地点に筆記用具穴を設けたことを特徴とする曲尺。
【発明の詳細な説明】
【技術分野】
【０００１】本発明は、曲尺に係り、特に金属製の平板材からなる妻手と長手とを直角に折り曲げてなり、角側又は隅側の表裏目の少なくともいずれか一面に各種の測定用目盛が刻まれた曲尺において、長手又は妻手の各部に広角度が測定できたり広角度の作図ができたりする傾斜した目盛線、長手における特定点を利用して妻手も併用して特定斜面の狭角度を測定できる角度目盛、建築現場における壁用ボードの厚さと軽量鉄骨の太さを建築現場と同様の寸法間隔で刻んだ壁厚墨出し目盛及びコンパスのように円が描けるようにした中心点穴と筆記用具穴が各種の半径用に刻まれ、通常の長さの測定や墨出しのみならず、角度の測定、角度の作図、特定斜面の狭角度の読み取り、壁厚墨出し及びコンパス機能までも持たせた非常に便利で、多目的かつ画期的な曲尺に関する。
【背景技術】
【０００２】従来の曲尺は、金属製の平板材からなる妻手と長手とを直角に折り曲げてなり、角側又は隅側の表裏目の少なくともいずれか一面に各種の測定用目盛が刻まれて、これ一つで非常に多くの作業ができるように工夫されている。
例えば、表目には、長手、妻手とも１ｍｍ刻みの長さの目盛が刻まれており、読み易いように５ｃｍごとに大きな見出し文字がついている。裏目には角目（曲尺独特の目盛で、表目の数値の√２倍（１．４１４２倍）の数値の目盛で、円の直径からその円に内接する正方形の１辺の長さを知るための目盛）、丸目（表目の数値に円周率（Π＝３．１４）を掛けた数値の目盛で、円の直径から直ちにその円周を知るための目盛）、返し目（ｔのような目盛がついたもので、その部分がその反対側の重要な目盛部分に当たることを意味し、わざわざ曲尺を裏返さなくても分かるようにつけた印）及び逆目盛（加工した溝の深さや隙間等の深さを計るためのもの）が刻まれている。【０００３】そして、例えば角目を使って丸太の直径を計れば、直ちにその丸太から切り出すことができる角柱の１辺の長さが分かり、丸目を使って丸太の直径を計れば、直ちにその丸太の円周が分かり、その他の特殊な使用方法として、等間隔分離、正五角形や正八角形を描くこと及び平勾配と隅勾配の作図等が可能である。【０００４】しかしながら、従来の曲尺では、特殊な使い方としては、上記のものが限度であり、それ以上の便利さはなく、例えば曲尺自体で任意角度の斜線を引いたりすること、隅が鈍角である斜面の傾斜角度（広角度までの角度）を曲尺で計ること、隅が鋭角である斜面の傾斜角度（狭角度）を曲尺で計ること、軽量鉄骨とボードで作る家屋の建築における鉄骨とボードの床位置での墨出し位置を曲尺自体で印付けすること及び曲尺をコンパスと同様に使用して円を描くこと等ができる曲尺は全く提供されておらず、まだまだ不便であるという欠点があり、改良の余地があった。【０００５】なお、本願出願人及び発明者は、本願発明に対する公知特許文献及び公知非特許文献を知らないので、その記載を省略する。
【発明が解決しとようとする課題】
【０００６】本発明は、上記した従来技術の欠点を除くためになされたものであって、その目的とするところは、金属製の平板材からなる妻手と長手とを直角に折り曲げてなり、角側又は隅側の表裏目の少なくともいずれか一面に各種の測定用目盛が刻まれた曲尺において、妻手の隅側の開放端部から長手の隅側に引いた線が妻手に対してなす角度の傾斜した目盛り線を長手に刻むことによって、妻手の隅側の開放端部から長手の目盛線に向かう斜線の１度単位の作図を可能とすると共に、妻手の隅側の開放端部と、長手の目盛線とで斜面の傾斜角度（広角度までの角度）を測定することができるようにすることであり、またこれによって曲尺を分度器としても使用できるようにし、曲尺の使用性を更に向上させ、その商品価値を大幅に高めることである。
【０００７】また他の目的は、長手と妻手が交わる隅から引いた斜線の任意点から立てた垂線が交わる前記長手の隅側の長さ方向の略中間の特定点を定め、各種角度の異なる斜線における垂線の長さ（斜線から特定点までの垂線上の距離）が、斜線と長手とのなす角度として、特定点と同一面において角側の妻手に角度目盛として刻むことによって、垂直線に対する斜面の角度が鋭角である斜面の狭角度を曲尺のみで測定できるようにすることであり、またこれによって従来なかなか難しかった垂直線からの角度が鋭角である斜面の狭角度が曲尺のみで簡単に測定できるようにすることである。
【０００８】また他の目的は、金属製の平板材からなる妻手と長手とを直角に折り曲げてなり、角側又は隅側の表裏目の少なくともいずれか一面に各種の測定用目盛が刻まれた曲尺において、長手の角側の略中間の第２の特定点を定め、該第２の特定点から妻手に対して各種角度の斜線を引いて該斜線と妻手の角側との交点に該斜線と同一傾斜の角度目盛り線を刻み、角から該交点までの垂線の長さを、角から前記第２の特定点までの距離と各種角度の正接との積として求め、垂線の長さを、第２の特定点と同一面において角側の妻手に角度目盛りとして定め、該角度目盛りに斜線と長手とのなす角度の表示をすることによって、上記と同様に、垂直線に対する斜面の角度が鋭角である斜面の狭角度を曲尺のみで測定できるようにすることであり、またこれによって斜面の角から底面に対して垂線（垂直線）を立てるだけで、従来なかなか難しかった垂直線からの斜面の角度が鋭角である斜面の狭角度が曲尺のみで簡単に測定できるようにすることである。
【０００９】また他の目的は、建築現場における壁用ボードの厚さと軽量鉄骨の太さの寸法を該建築現場におけると同様の間隔をおいた壁厚墨出し目盛を妻手の隅側に刻むことによって、例えば２本の軽量鉄骨の太さの床上の位置を示すと共にこの鉄骨に挟まれた壁用ボードの厚さの床上の位置を示す４本の線からなる壁厚墨出しが曲尺によって簡単にできるようにすることであり、またこれによって特に軽量鉄骨を使用する建築現場における鉄骨及び壁用ボードの組立て作業能率を著しく向上させることである。
【００１０】更に他の目的は、長手と妻手との交点をコンパスの中心点として、前記隅と角との略中間点に中心点穴を設け、該中心点穴から描こうとする円の半径と同一寸法の長手上の各地点に筆記用具穴を設けることによって、曲尺を用いて床等に比較的大きな円を簡単に描くことができるようにすることであり、またこれによって建築作業や趣味の場において、曲尺を更に便利な商品に改良することである。
【発明の開示】
【発明の効果】
【００１１】本発明は、上記のように、金属製の平板材からなる妻手と長手とを直角に折り曲げてなり、角側又は隅側の表裏目の少なくともいずれか一面に各種の測定用目盛が刻まれた曲尺において、妻手の隅側の開放端部から長手の隅側に引いた線が妻手に対してなす角度の傾斜した目盛り線を長手に刻んだので、妻手の隅側の開放端部から長手の目盛線に向かう斜線の１度単位の作図が可能となる効果があると共に、妻手の隅側の開放端部と、長手の目盛線とで斜面の傾斜角度（広角度までの角度）を測定することができる効果があり、またこの結果曲尺を分度器としても使用できるようになり、曲尺の使用性を更に向上させ、その商品価値を大幅に高めることができる効果がある。【００１２】また長手と妻手が交わる隅から引いた斜線の任意点から立てた垂線が交わる前記長手の隅側の長さ方向の略中間の特定点を定め、各種角度の異なる斜線における垂線の長さ（斜線から特定点までの垂線上の距離）が、斜線と長手とのなす角度として、特定点と同一面において角側の妻手に角度目盛として定めたので、垂直線から斜面までの角度が鋭角である斜面の狭角度を曲尺のみで測定できるという効果があり、またこの結果従来なかなか難しかった垂直線から斜面までの角度が鋭角である斜面の狭角度が曲尺のみで簡単に測定できるという効果がある。【００１３】また金属製の平板材からなる妻手と長手とを直角に折り曲げてなり、角側又は隅側の表裏目の少なくともいずれか一面に各種の測定用目盛が刻まれた曲尺において、長手の角側の略中間の第２の特定点を定め、該第２の特定点から妻手に対して各種角度の斜線を引いて該斜線と妻手の角側との交点に該斜線と同一傾斜の角度目盛り線を刻み、角から該交点までの垂線の長さを、角から前記第２の特定点までの距離と各種角度の正接との積として求め、垂線の長さを、第２の特定点と同一面において角側の妻手に角度目盛りとして定め、該角度目盛りに斜線と長手とのなす角度の表示をすることによって、上記と同様に、垂直線に対する斜面の角度が鋭角である斜面の狭角度を曲尺のみで測定できるという効果があり、またこの結果斜面の角から底面に対して垂線（垂直線）を立てるだけで、従来なかなか難しかった垂直線からの斜面の角度が鋭角である斜面の狭角度が曲尺のみで簡単に測定できるという効果がある。【００１４】また建築現場における壁用ボードの厚さと軽量鉄骨の太さの寸法を該建築現場におけると同様の間隔をおいた壁厚墨出し目盛を妻手の隅側に刻んだので、例えば２本の軽量鉄骨の太さの床上の位置を示すと共にこの鉄骨に挟まれた壁用ボードの厚さの床上の位置を示す４本の線からなる壁厚墨出しが曲尺によって簡単にできるようになり、またこの結果特に軽量鉄骨を使用する建築現場における鉄骨及び壁用ボードの組立て作業能率を著しく向上させることができる効果がある。【００１５】更には、長手と妻手との交点をコンパスの中心点として、前記隅と角との略中間点に中心点穴を設け、該中心点穴から描こうとする円の半径と同一寸法の長手上の各地点に筆記用具穴を設けたので、曲尺を用いて床等に比較的大きな円を簡単に描くことができるという効果があり、またこの結果建築作業や趣味の場において、曲尺を更に便利な商品に改良することができる効果が得られる。
【課題を解決するための手段】
【００１６】要するに本発明（請求項１）は、金属製の平板材からなる妻手と長手とを直角に折り曲げてなり、角側又は隅側の表裏目の少なくともいずれか一面に各種の測定用目盛が刻まれた曲尺において、前記妻手の隅側の開放端部から前記長手の隅側に引いた線が前記妻手に対してなす角度の傾斜した目盛り線が前記長手に刻まれたことを特徴とするものである。【００１７】また本発明（請求項２）は、金属製の平板材からなる妻手と長手とを直角に折り曲げてなり、角側又は隅側の表裏目の少なくともいずれか一面に各種の測定用目盛が刻まれた曲尺において、前記長手と妻手が交わる隅から引いた斜線の任意点から立てた垂線が交わる前記長手の隅側の長さ方向の略中間の特定点を定め、各種角度の異なる前記斜線における前記垂線の長さ（前記斜線から前記特定点までの垂線上の距離）が、前記斜線と前記長手とのなす角度として、前記特定点と同一面において角側の前記妻手に角度目盛として刻まれたことを特徴とするものである。【００１８】また本発明（請求項３）は、金属製の平板材からなる妻手と長手とを直角に折り曲げてなり、角側又は隅側の表裏目の少なくともいずれか一面に各種の測定用目盛が刻まれた曲尺において、前記長手の角側の略中間の第２の特定点を定め、該第２の特定点から前記妻手に対して各種角度の斜線を引いて該斜線と前記妻手の角側との交点に該斜線と同一傾斜の角度目盛り線を刻み、前記角から該交点までの垂線の長さを、前記角から前記第２の特定点までの距離と前記各種角度の正接との積として求め、前記垂線の長さを、前記第２の特定点と同一面において角側の前記妻手に角度目盛りとして定め、該角度目盛りに前記斜線と前記長さとのなす角度の表示をしてなることを特徴とするものである。【００１９】また本発明（請求項４）は、金属製の平板材からなる妻手と長手とを直角に折り曲げてなり、角側又は隅側の表裏目の少なくともいずれか一面に各種の測定用目盛が刻まれた曲尺において、建築現場における壁用ボードの厚さと軽量鉄骨の太さの寸法を該建築現場におけると同様の間隔をおいた壁厚墨出し目盛が前記妻手の隅側に刻まれたことを特徴とするものである。【００２０】また本発明（請求項５）は、金属製の平板材からなる妻手と長手とを直角に折り曲げてなり、角側又は隅側の表裏目の少なくともいずれか一面に各種の測定用目盛が刻まれた曲尺において、前記長手と妻手との交点をコンパスの中心点として、前記隅と角との略中間点に中心点穴を設け、該中心点穴から描こうとする円の半径と同一寸法の前記長手上の各地点に筆記用具穴を設けたことを特徴とするものである。
【発明を実施するための最良の形態】
【００２１】以下本発明を図面に示す実施例に基づいて説明する。本発明に係る曲尺１は、図１から図４において、金属製の平板材からなる妻手１ａと長手１ｂとを直角に折り曲げてなり、角側１ｃ又は隅側１ｄの表目１ｅ、裏目１ｆの少なくともいずれか一面に各種の測定用目盛の一例たる長さ目盛１ｇが刻まれた曲尺であって、妻手１ａの隅側１ｄの開放端部１ｈから長手１ｂの隅側１ｄに引いた線２が妻手１ａに対してなす角度θの傾斜した目盛線１ｉが長手１ｂに刻まれてなるものである。【００２２】目盛線１ｉは、角度θの１°間隔で引かれ、妻手１ａと長手１ｂの交わる隅１ｊが０°となっており、ここから長手１ｂの隅側１ｄに沿って次第に大きくなる角度θに合わせて傾斜させて引かれている。例えば図１及び図２において、角度θが１５°であれば、線２は妻手１ａの隅側１ｄに対して１５°傾斜しており、そのままの角度で傾斜した目盛線１ｉが長手１ｂの表目１ｅに引かれ、表目１ｅの図中下半分の余白１ｋに「１５°」と刻印されている。また図１に示すように、角度θが４５°であれば、同様に長手１ｂの表目１ｅに４５°の角度で傾斜した目盛線１ｉが引かれ、そこには「４５°」と刻印される。そして角度θが５°ごとに傾斜した目盛線１ｉは長手１ｂの幅一杯に引かれ、目盛線１ｉが読み取り易いようにしてある。そして最大６５°まで傾斜した目盛線１ｉが引かれ最大「６５°」と刻印されている。【００２３】次に、図６及び図７により、長手１ｂの隅側１ｄ上の第１の特定点Ｐ１を利用した斜面の狭角度θを測定するための曲尺１について説明する。この曲尺１は、長手１ｂと妻手１ａが交わる隅１ｊから引いた斜線３の任意点Ｐから立てた垂線４が交わる長手１ｂの隅側１ｄの長さ方向の略中間の第１の特定点Ｐ１を定め、各種角度θの異なる斜線３における垂線４の長さｈ（斜線３から長手１ｂの特定点Ｐ１までの垂線４上の距離）を、隅１ｊから第１の特定点Ｐ１までの距離ｌと各種角度θの正弦値ｓｉｎθの積、即ちｈ＝ｌ・ｓｉｎθ、ｈ１＝ｌ・ｓｉｎθ１、ｈ２＝ｌ・ｓｉｎθ２・・・・・として求める。例えば図６及び図７において、長さｌ＝２５０ｍｍ、角度θ１＝２０°の場合、長さｈ１＝＝８５．５１ｍｍ、角度θ２＝３０°の場合、長さｈ２＝１２５ｍｍとなる。そして垂線の長さｈを、第１の特定点Ｐ１と同一面において角側１ｃの妻手１ａに角度目盛１ｌとして刻み、該角度目盛１ｌに斜線３と長手１ｂとのなす角度θの表示を、５°、１０°、１５°、２０°、２５°、３０°、３５°、４０°、４５°、５０°、５５°、６０°のにように刻印してなるものである。なお、この角度目盛線１ｌは、妻手１ａに対して直角でよいが、あくまで角度目盛であり、長さ目盛ではないから、目盛線の間隔は角１ｍから遠ざかるに従って次第に狭くなっている。【００２４】次に、図１１から図１４により、長手１ｂの角側１ｃの第２の特定点Ｐ２を利用した斜面の狭角度を測定するための曲尺１について説明する。この曲尺１は、長手１ｂの角側１ｃの略中間（角１ｍから２００ｍｍ位の位置が適当）の第２の特定点Ｐ２を定め、該第２の特定点Ｐ２から妻手１ａに対して各種角度θの斜線５を引いて該斜線５と妻手１ａの角側１ｃとの交点１ｎに該斜線５と同一傾斜の角度目盛線１ｏを刻み、角１ｍから該交点１ｎまでの垂線６の長さＨを、角１ｍから第２の特定点Ｐ２までの距離Ｌと各種角度θの正接値ｔａｎθとの積、即ちＨ＝Ｌ・ｔａｎθ、Ｈ１＝Ｌ・ｔａｎθ１、Ｈ２＝Ｌ・ｔａｎθ２・・・・・として求める。例えば長さＬ＝２００ｍｍ、角度θ１＝２０°の場合、長さＨ１＝７２．７９ｍｍ、角度θ２＝３５°の場合、長さＨ２＝１４０．０４ｍｍとなる。そして垂線６の長さＨを、第２の特定点Ｐ２と同一面において角側１ｃの妻手１ａに角度目盛として定め、該角度目盛に斜線５と長手１ｂとのなす角度θの表示を、５°、１０°、１５°、２０°、２５°、３０°、３５°、４０°、４５°、５０°、５５°、６０°のにように刻印してなるものである。【００２５】次に、図２、図１７から図１９により、壁厚墨出し目盛１ｐが刻まれた曲尺１について説明する。この曲尺１は、建築現場における壁用ボード８の厚さと軽量鉄骨９の太さの寸法を該建築現場におけると同様の間隔をおいた壁厚墨出し目盛１ｐが妻手１ａの隅側１ｄに刻まれてなるものである。壁用ボード８は、厚いボード本体８ａと、化粧ボード８ｂとからなる。軽量鉄骨９は、閉断面の長方形の角パイプ状のものであり、通称「角スタッド」と呼ばれ、その断面短か手の寸法を称呼寸法とし、例えば２０形、２５形、４０形、４５形、５０形、６５形、１００形等があり、これらは断面短か手の寸法が、夫々２０ｍｍ、２５ｍｍ、４０ｍｍ、４５ｍｍ、５０ｍｍ、６５ｍｍ、１００ｍｍということを意味する。【００２６】図２において、妻手１ａの隅側１ｄの隅１ｊから順に網かけの部分１ｑが化粧ボード８ｂの厚さ、ハッチングの部分１ｒがボード本体８ａ、その上の空白部１ｓが軽量鉄骨９、その上のハッチングの部分１ｒが再びボード本体、更にその上の網かけの部分１ｑが再び化粧ボード８ｂに夫々対応しており、これらが１組の墨出し目盛１ｐのサイクルとなって表示され、あとはその繰返しとなる。【００２７】次に、図１、図２及び図２０によりコンパスとして利用できるようにした曲尺１について説明する。この曲尺１は、長手１ｂと妻手１ａの交点１ｔをコンパスの中心点として、隅１ｊと角１ｍとの略中間点に中心点穴１０を設け、該中心点穴１０から描こうとする円２２の半径と同一寸法の長手１ｂ上の各地点に筆記用具穴１１を刻んで設けたものである。
そして図２０に示すように、中心点穴１０にビン１２を差し込んで紙、板、床等の被描写体１３に立て、筆記用具穴１１には筆記用具１４を手１５で持って曲尺１を回転させることによって、筆記用具穴１１で定められた半径の円２２を描くことができるようになっている。【００２８】本発明は、上記のように構成されており、以下その作用について説明する。
まず図１乃至図５に示す曲尺１の作用について説明すると、この曲尺１は被描写体１３に、妻手１ａに対するある角度θだけ傾斜した線２を描くことができると共に、図５に示すように、被測定体１６の底面１６ａに対して特定角度傾斜した斜面１６ｂの垂直方向に対する角度θを測定できるようにしたものである。【００２９】まず図１から図３により、妻手１ａに対して角度θだけ傾斜した線２を被描写体１３に引く作図方法について説明すると、図１に示すように、被描写体１３上に曲尺１をその表目１ｅを上に向けて置いて、妻手１ａの隅側１ｄの開放端部１ｈから長手１ｂに刻印された傾斜した目盛線１ｉに向けて、別の定規（図示せず）を用いて線２を引けばよく、例えば傾斜した目盛線１ｉが１５°のところを選べば角度θが１５°の線２を引くことができ、傾斜した目盛線１ｉが４５°のところを選べば角度θが４５°の線２を引くことができ、このようにして１°単位で任意の傾斜した線２を簡単に引くことができる。【００３０】なお、この場合被描写体１３には、妻手１ａの隅側１ｄの開放端部１ｈと、引こうとする線２の妻手１ａに対する角度θの傾斜した目盛線１ｉの隅側１ｄの２か所に小さい点（プロット）を打っておけば、曲尺１のいずれかの直線部を用いて簡単に線２を１°単位で引くことができる。また図３及び図４に示すように、曲尺１の裏目１ｆを使用して同様に妻手１ａに対して角度θだけ傾斜した線２を、別の定規を用いて又は曲尺１自体を用いて１°単位で簡単に引くことができる。例えば妻手１ａに対して１５°傾斜した線２又は４５°傾斜した線２を簡単に引くことができる。【００３１】また図５に示すように、被測定体１６の底面１６ａに曲尺１を当てて、隅側１ｄの開放端部１ｈを斜面１６ｂに接触させ、斜面１６ｂと底面１６ａとの交点である角部１６ｄの位置の長手１ｂの隅側１ｄの傾斜した目盛線１ｉの角度目盛、例えば１５°を読めば、直ちに斜面１６ｂの垂直方向に対する角度θを１５°と測定することができる。そして斜面１６ｂの角度θが種々異なった場合でも、１°単位でその角度θを簡単に測定することができる。【００３２】次に、図６から図１０に示す曲尺１の作用について説明する。この曲尺１は、長手１ｂの隅側１ｄの第１の特定点Ｐ１と、妻手１ａに刻まれた角度目盛１ｌを用いて、被測定体１８の底面１８ａに対する垂直線１９と斜面１８ｂとのなす角度θ（６０°以下程度の狭角度）を測定するためのものである。【００３３】被測定体１８の斜面１８ｂの角度θを測定するためには、まず被測定体１８の底面１８ａに曲尺１の妻手１ａの隅側１ｄを当て、隅１ｊを被測定体１８の底面１８ａと斜面１８ｂとの交点である角部１８ｄに当て、長手１ｂの隅側１ｄの第１の特定点Ｐ１を被描写体１３上にプロットする。そしてこのプロットされた第１の特定点Ｐ１から斜面１８ｂまでの垂線４の長さｈを妻手１ａの角度目盛１ｌから測定すれば、それが直ちに角度θとして読み取ることができるのである。【００３４】これを具体的に説明すると、図１０に示すように、図８の状態から曲尺１を時計方向に回転させてその長手１ｂを被測定体１８の斜面１８ｂに当て、妻手１ａの角側１ｃをプロットされた第１の特定点Ｐ１に当てる。そして第１の特定点Ｐ１��位置する妻手１ａの角度目盛１ｌを読み取れば、角度θを直ちに測定することができ、例えば、角度θ１は２０°、θ２は３０°という具合に測定することができる。【００３５】その理由は、図６及び図７も参照して、底面１８ａから第１の特定点Ｐ１までの距離はｌであり、垂線４の長さｈは、ｈ＝ｌ・ｓｉｎθとして求められるから、角度θ１に対する垂線４の長さｈ１及び角度θ２に対する垂線４の長さｈ２は夫々、ｈ１＝ｌ・ｓｉｎθ１、ｈ２＝ｌ・ｓｉｎθ２となり、この垂線４の長さｈ１，ｈ２・・・が妻手１ａの角度目盛１ｌとして妻手１ａに刻まれているからである。【００３６】そして角度θが種々変化しても、長手１ｂを斜面１８ｂに当てながら滑らせて、常に妻手１ａの角側１ｃが、プロットされた第１の特定点Ｐ１に接するようにさえすれば、常に正しく斜面１８ｂの角度θを１°単位で簡単に測定することができる。【００３７】次に、図１１から図１６に示す曲尺１の作用について説明する。この曲尺１は、角１ｍから長手１ｂの角側１ｃ上の第２の特定点Ｐ２までの距離Ｌを底辺とする三角形の角度θにおける垂線６の長さＨをそのまま角度目盛となるように斜線５の延長として角度目盛線１ｏを妻手１ａ上に引いておいて、Ｈ＝Ｌｔａｎθの関係から被測定体２０の底面２０ａから立てた垂直線２１と斜面２０ｂとのなす角度θを妻手１ａによって測定できるようにしたものである。【００３８】図１５及び図１６により角度θの測定の仕方について説明すると、まず図１５に示すように、被測定体２０の底面２０ａに曲尺１の妻手１ａの隅側１ｄを当てると共に、隅１ｊを被測定体２０の底面２０ａと斜面２０ｂとの交点である角部２０ｄに当て、底面２０ａに対する垂直線２１を被描写体１３に引いておく。【００３９】次いで、図１６に示すように、曲尺１を時計方向に回転させて、その長手１ｂの角側１ｃを被測定体２０の斜面２０ｂに当てると共に、第２の特定点Ｐ２を被測定体２０の角部２０ｄに一致させる。これによって、曲尺１の角１ｍから第２の特定点Ｐ２までの距離Ｌが被測定体２０の斜面２０ｂ上に三角形の底辺として配置されることになるから、妻手１ａの角側１ｃと垂直線２１との交点における角度目盛線１ｏを読み取れば、これが直ちに角度θとなるから、角度目盛線１ｏの読取りだけで角度θの測定が完了する。【００４０】その理由は、図１３及び図１４も参照して、曲尺１の角１ｍから第２の特定点２１までの距離はＬであり、垂線６の長さＨは、Ｈ＝Ｌ・ｔａｎθとして求められるから、角度θ１に対する垂線６の長さＨ１及び角度θ２に対する垂線６の長さＨ２は夫々、Ｈ１＝Ｌ・ｔａｎθ１、Ｈ２＝Ｌ・ｔａｎθ２となり、この垂線６の長さＨ１，Ｈ２・・・が妻手１ａの角度目盛線１ｏとして妻手１ａに刻まれているからである。【００４１】そして角度θが種々変化しても、第２の特定点Ｐ２を被測定体２０の角部２０ｄに一致させて動かない状態で、長手１ｂの隅側１ｅを斜面２０ｂに当てながら曲尺１を反時計方向に回転させて行くことにより次第に大きくなる角度θを１°単位で常に正しく簡単に測定することができる。【００４２】次に、図１７から図１９に示す曲尺１の作用について説明する。この曲尺１は、建築現場における壁用ボード８の厚さと軽量��骨９の太さの寸法を該建築現場におけると同様の間隔をおいた壁厚墨出し目盛１ｐが妻手１ａの隅側１ｄに刻まれたもので、この壁厚墨出し目盛１ｐを用いてコンクリート面や床等の被描写体１３に壁用ボード８及び軽量鉄骨９の規格に合った墨出しを、曲尺１を２箇所に平行移動させて墨出し用のプロットをするだけで、極めて簡単にできるようにしたものである。【００４３】墨出しの仕方について、図１７及び図１８により説明すると、曲尺１の妻手１ａの隅側１ｄの壁厚墨出し目盛１ｐを用いて、まず長手１ｂの隅側１ｄから順に黒く塗り潰した壁厚墨出し目盛１ｐを用いて、長手１ｂの隅側１ｄの面と該壁厚墨出し目盛１ｐの上側の２点について被描写体１３にプロットをする。次いで斜線で示す壁厚墨出し目盛１ｐを用いて、その上側の１点について被描写体１３にプロットをする。これによって軽量鉄骨９を挟む１組の壁厚墨出し目盛１ｐのプロットが完了する。
続いて軽量鉄骨９の太さだけ離れた斜線で示す壁厚墨出し目盛１ｐの下側及び上側の２点について被描写体１３にプロットし、更にその上側の黒く塗り潰して示す壁厚墨出し目盛１ｐの上側の１点についてプロットする。これによって軽量鉄骨９を挟む２組の壁厚墨出し目盛１ｐのプロットが完了となる。【００４４】そこで、曲尺１を図中右方向に平行移動させ、上記と同様のプロットを６点について行うことにより数メートル離れたところに墨出し用のプロットがなされたことになるから、長手方向の各２点について墨壺（図示せず）を用いて墨出しをし、これを６回繰り返す。これによって図１７に示すような１組の軽量鉄骨９とこれを挟む壁用ボード８の複数の墨出し線２２が引かれて完成する。【００４５】そして、図１９に示すように、この６本の墨出しの上に壁用ボード８及び軽量鉄骨９を配置し、床等に固定して行けば、壁用ボード８及び軽量鉄骨９を用いた建物の建築を行うことができる。【００４６】最後に、図２及び図２０に示す曲尺１の作用について説明する。この曲尺１は、コンパスとして小さな円２３から大きな円２３まで描くことができるようにしたものである。
円や円弧を描くには、図２０に示すように、まずピン１２をコンパスの中心点穴１０を貫通させて、被描写体１３に軽く突き刺し、曲尺１全体が動き回らないようにし、次いでコンパスの中心点穴１０から所望の半径のところに位置する筆記用具穴１１に筆記用具１４を差し込んで矢印Ａ，Ｂの如く回転させれば、簡単に円２２や円弧を被描写体１３に描くことができる。なお円２３の半径は、筆記用具穴１１のあけ方や間隔により定まるが、例えば５ｍｍ間隔位で半径の異なる非常に多くの円２２や円弧を描くことができる。また曲尺１であるので、その長手１ｂは相当長く、通常のもので５００ｍｍ位あるので、半径５００ｍｍ、直径１０００ｍｍの大きな円２３まで描くことができ、非常に便利である。
【図面の簡単な説明】
【００４７】
【図１】図１から図５は本発明の第１実施例に係り、図１は曲尺の表目の平面図である。
【図２】図１の曲尺の要部拡大平面図である。
【図３】曲尺の裏目の平面図である。
【図４】図３の曲尺の要部拡大平面図である。
【図５】曲尺を用いて被測定体の斜面の角度を測定している状態を示す平面図である。
【図６】図６から図１０は本発明の第２実施例に係り、図６は角度の測定原理を説明するための曲尺の表目の平面図である。
【図７】図６の曲尺の要部拡大平面図である。
【図８】被測定体の斜面の角度を測定するため被描写体上に第１の特定点をプロットしている状態を示す平面図である。
【図９】第１の特定点を用いて被測定体の斜面の角度を測定する原理を説明するための平面図である。
【図１０】被測定体の斜面の角度を曲尺で測定している状態を示す平面図である。
【図１１】図１１から図１６は本発明の第３実施例に係り、図１１は曲尺の表目の平面図である。
【図１２】図１１の曲尺の要部拡大平面図である。
【図１３】第２の特定点を用いて角度を測定する原理を説明するための曲尺の表目の平面図である。
【図１４】図１３の曲尺の要部拡大平面図である。
【図１５】被測定体の斜面の角度を測定するため被描写体上に被測定体の角部から垂直線を立てて描いた状態を示す平面図である。
【図１６】曲尺を用いて被測定体の斜面の角度を測定している状態を示す平面図である。
【図１７】図１７から図１９は本発明の第４実施例に係り、図１７は曲尺の妻手の壁厚墨出し目盛によって墨出しが完了した状態を示す平面図である。
【図１８】図１７の曲尺の要部拡大平面図である。
【図１９】墨出しに従って軽量鉄骨及び壁用ボードを設置している状態を示す部分破断斜視図である。
【図２０】本発明の第５実施例に係る曲尺の使用状態を示す斜視図である。
【符号の説明】
【００４８】  １    曲尺
１ａ  妻手
１ｂ  長手
１ｃ  角側
１ｄ  隅側
１ｅ  表目
１ｆ  裏目
１ｇ  測定用目盛の一例たる長さ目盛
１ｈ  隅側の開放端部
１ｉ  傾斜した目盛線
１ｊ  隅
１ｋ  余白
１ｍ  角
１ｎ  交点
１ｏ  角度目盛線
１ｐ  壁厚墨出し目盛
１ｑ  網かけの部分
１ｒ  ハッチングの部分
１ｓ  空白部
１ｔ  長手と妻手の交点
２    線
３    斜線
４    垂線
５    斜線
６    垂線
８    壁用ボード
９    化粧ボード
１０    中心点穴
１１    筆記用具穴
１２    ピン
１３    被描写体
１４    筆記用具
１５    手
１６    被測定体
１６ａ  底面
１６ｂ  斜面
１６ｃ  上面
１６ｄ  角部
１８    被測定体
１８ａ  底面
１８ｂ  斜面
１８ｄ  角部
１９    垂直線
２０    被測定体
２０ａ  底面
２０ｂ  斜面
２０ｄ  角部
２１    垂直線
２２    墨出し線
２３    円
Ａ    矢印
Ｂ    矢印
Ｐ１  第１の特定点
Ｐ２  第２の特定点
【図１】
2007232701.tif 000003
【図２】
2007232701.tif 000004
【図３】
2007232701.tif 000005
【図４】
2007232701.tif 000006
【図５】
2007232701.tif 000007
【図６】
2007232701.tif 000008
【図７】
2007232701.tif 000009
【図８】
2007232701.tif 000010
【図９】
2007232701.tif 000011
【図１０】
2007232701.tif 000012
【図１１】
2007232701.tif 000013
【図１２】
2007232701.tif 000014
【図１３】
2007232701.tif 000015
【図１４】
2007232701.tif 000016
【図１５】
2007232701.tif 000017
【図１６】
2007232701.tif 000018
【図１７】
2007232701.tif 000019
【図１８】
2007232701.tif 000020
【図１９】
2007232701.tif 000021
【図２０】
2007232701.tif 000022